Podtech/llm-jp-corpus-v4-ja_patent huggingface dataset:
(57)【要約】      （修正有）【課題】高耐圧で漏れ電流が少なく、ＥＳＤ耐量が高いショットキーバリアダイオードを提供する。【解決手段】縦方向に電流を流すショットキーバリアダイオードにおいて、Ｎ型シリコン６中のＰ型ガードリング２の下部領域に、複数の円柱型のＰ型埋め込み層７が埋め込まれ、円柱形のＰ型埋め込み層７は、上部のＰ型ガードリング２と接し、電気的に接続されている。さらに複数のＰ型埋め込み層７は同じ断面積を有し、等間隔で一列に電流が流れる方向と垂直な方向に配置されている。このようにシリコン内部の深い部分にＰ型埋め込み層７を埋め込む構造によって、シリコンの深い部分まで空乏層を伸ばす。【選択図】図４
2016025104.tif 000002
【特許請求の範囲】
【請求項１】
縦方向に電流を流すショットキーバリアダイオードにおいて、Ｎ型シリコン中のＰ型ガードリングの下部領域に、複数の円柱型のＰ型埋め込み層が埋め込まれ、Ｐ型埋め込み層は、上部のＰ型ガードリングと電気的に接続されていることを特徴とする半導体装置。
【請求項２】
Ｐ型埋め込み層は、同じ円形の断面積を有し、電流が流れる方向と垂直な方向に、一列で等間隔に配置されていることを特徴とする請求項１の半導体装置。
【発明の詳細な説明】
【技術分野】
【０００１】
本発明は、高耐圧で逆方向漏れ電流が少なく、ＥＳＤ（Electrostatic discharge）耐量が高いショットキーバリアダイオードに関する。
【背景技術】
【０００２】
ショットキーバリアダイオードは、金属と半導体との接合によって生じる、ショットキー障壁を利用したダイオードである。ユニポーラ素子であるため、ＰＮダイオードに比べて順方向電圧降下が低く、スイッチング速度が速いという特徴を持つことから、高速論理回路や低圧電源供給システムに広く応用されている。しかし障壁の高さが低いことから、耐圧が低く逆方向漏れ電流が多いという問題があった。
【先行技術文献】
【特許文献】
【０００３】
【特許文献１】公開特許公報  特開２００９−５９７６４
【発明の概要】
【発明が解決しようとする課題】
【０００４】
先行文献では、半導体表面から所定の深さに複数のジャンクションバリアを設け、素子耐圧を向上させる構造のショットキーバリアダイオードが示されている。しかし、耐圧を充分に高くし、漏れ電流を低減することは困難であった。
【０００５】
本発明は上記問題点を解決し、耐圧が高く漏れ電流が少ないショットキーバリアダイオードを提供することを目的とする。
【課題を解決するための手段】
【０００６】
縦方向に電流を流す構造のショットキーバリアダイオードにおいて、シリコン中のＰ型ガードリングの下部領域に、複数の円柱形のＰ型埋め込み層を、一列に等間隔で埋め込む。Ｐ型埋め込み層は、上部のＰ型ガードリングと接触し、電気的に接続されている。この構造によってシリコンの深い位置まで空乏層を伸ばすことができ、耐圧を充分に高くし、漏れ電流を低減できる。
【発明の効果】
【０００７】
本発明によれば、ショットキーバリアダイオードの耐圧を充分高くし、漏れ電流を小さくできる。さらに、ＥＳＤ耐量を高く保持することができる。
【図面の簡単な説明】
【０００８】
【図１】従来品のショットキーバリアダイオードの平面図である。
【図２】従来品のショットキーバリアダイオード断面図である。
【図３】本発明の実施例１に係るショットキーバリアダイオードの平面図である。
【図４】本発明の実施例１に係るショットキーバリアダイオードの断面図である。
【図５】本発明の実施例１に係るショットキーバリアダイオードの断面図である。
【発明を実施するための形態】
【０００９】
以下、本発明の実施の形態となる構造について説明する。
【実施例１】
【００１０】
図３、図４は、実施例１に係るショットキーバリアダイオードの平面図、断面図である。本発明のダイオードにおいては、Ｐ型ガードリング２の下に円柱形のＰ型埋め込み層７が複数、等間隔で一列に埋め込まれている。また、Ｐ型埋め込み層７とガードリング２は接触しており、電気的に接続されている。
【００１１】
Ｐ型埋め込み層７は同じ円の断面積を有し、円の直径９は０．３μｍから、５０μｍの範囲であることが望ましい。
【００１２】
Ｐ型埋め込み層の間隔８は、０．５μｍから２０μｍの範囲であることが望ましい。
【００１３】
Ｐ型埋め込み層７の濃度は１×１０１３atom/cm3から１×１０１９atom/cm3であり、ガードリングの濃度をＣg、埋め込みＰ層の濃度をＣｐとした場合、
Ｃｇ＜Ｃｐの関係を有することが望ましい。
【００１４】
ショットキーバリアダイオードに逆バイアスが印加された場合、空乏層がＰ型拡散層の周りに広がる。一定以上のバイアスになると、広がった空乏層同士が１０のようにつながり、埋め込まれたＰ型拡散層が、J−ＦＥＴ(Junction FET)と同じ働きをして耐圧を保持する。
【００１５】
本発明構造の半導体装置は、Ｎ型シリコン６中のガードリング２の下の領域に円柱形のＰ型埋め込み層７を埋め込むため、シリコン表面から深さ方向に向かって連続的に拡散層を形成するジャンクションバリア型構造とは異なり、シリコン内部のより深い領域まで空乏層を伸ばすことができ、これによって耐圧を高くでき、逆方向漏れ電流を低減することができる。埋め込まれたＰ型拡散層の断面積と間隔を同じとすることで、空乏層を安定して長く伸ばすことが可能となる。
【符号の説明】
【００１６】
１、バリアメタル
２、Ｐ型ガードリング
３、Ｎ＋チャネルストッパ
４、アノード電極
５、絶縁膜
６、Ｎ型シリコン
７、Ｐ型埋め込み層
８、Ｐ型埋め込み層の間隔
９、Ｐ型埋め込み層の直径
１０、空乏層
１１、カソード電極
【図１】
2016025104.tif 000003
【図２】
2016025104.tif 000004
【図３】
2016025104.tif 000005
【図４】
2016025104.tif 000006
【図５】
2016025104.tif 000007
(57)【要約】【課題】構造を複雑にしないで、オン抵抗が低く、耐圧高いトレンチゲート型IGBTを提供することが難しかった。【解決手段】トレンチゲート型IGBTにおいて、トレンチ底部の幅を３μｍ以上１５μｍ以下と広くする。この構造によって、ベース領域下のドリフト層にホールを蓄積することができ、これによって伝導度変調が生じ、キャリア蓄積層などを配置しなくてもオン抵抗を低減することができる。また、トレンチ下部のドリフト層の厚みを、４０μｍ以上、１４０μｍ以下、ドリフト層の比抵抗値を１０Ωｃｍ以上１５０Ωｃｍ以下とすることで耐圧が高く、オン抵抗の小さなIGBTを形成することができる。【選択図】図1
2016025214.tif 000002
【特許請求の範囲】
【請求項１】
トレンチゲート型IGBTにおいて、動作時においてトレンチゲート下のホール密度が、ベース領域下のホール密度より低いことを特徴とする半導体装置。
【請求項２】
トレンチゲート下のホール密度が、ベース領域下のホール密度の1/3以下であることを特徴とする請求項１の半導体装置。
【請求項３】
トレンチ底部の幅が３μｍ以上、１５μｍ以下であり、トレンチ深さが、２μｍ以上、１０μｍ以下であることを特徴とする請求項１の半導体装置。
【発明の詳細な説明】
【技術分野】
【０００１】
本発明は、オン抵抗を低くでき耐圧を高くできるトレンチゲート型IGBTに関する。
【背景技術】
【０００２】
大電流が流れるスイッチン素子として絶縁ゲート型バイポーラトランジスタ（IGBT）が提案されているが、構造を複雑にしないでオン抵抗を低くし、耐圧を高くすることが難しかった。
【先行技術文献】
【特許文献】
【０００３】
特開２００２−３５３４５６
【発明の概要】
【発明が解決しようとする課題】
【０００４】
先行文献では、新たな半導体層を設けないとオン抵抗の低減ができず、製造工程が増えて構造が複雑になり、リードタイムが長くなるという問題があった。
【０００５】
本発明は上記問題点を解決し、製造工程を増やさないでオン抵抗を低減する。
【課題を解決するための手段】
【０００６】
IGBTにおいてトレンチゲートの幅を広くしてオン抵抗を下げ、耐圧はトレンチ下のドリフト層（N−層）で保持し、高くする。
【発明の効果】
【０００７】
本発明によれば、製造工程を追加しないで、オン抵抗が低く耐圧の高いIGBTを作ることができる。
【図面の簡単な説明】
【０００８】
【図１】本発明の実施例１に関する構造である。
【発明を実施するための形態】
【０００９】
以下、本発明の実施の形態となる構造について説明する。
【実施例１】
【００１０】
図1は実施例1におけるIGBTの断面図である。本発明のIGBTは、トレンチ底部の幅は３μｍ以上、１５μｍ以下であり、トレンチ深さは、２μｍ以上、１０μｍ以下である。このようにトレンチの幅を広くすることでデバイス動作時のホールはトレンチの底部によって移動が妨げられ、ベース領域下のドリフト領域にホールが蓄積され伝導度変調が生じる。その結果キャリア蓄積層を配置しなくてもオン抵抗を低減することができる。
【００１１】
トレンチ底部下のドリフト層（N−層）の厚みは、４０μｍ以上、１４０μｍ以下であり、比抵抗値は１０Ωｃｍ以上１５０Ωｃｍ以下である。
【００１２】
ソース領域４の形状はL字型であり横方向（トレンチ幅と平行方向）の拡散濃度より縦方向（トレンチ深さ方向）の拡散濃度が低い。横方向の濃度は1E19atom/cm3以上1E20atom/cm３以下であり、縦方向の濃度は1E18atom/cm3以上1E19atom/cm３以下になる。このように縦方向、横方向で濃度差を設けることで、濃度が均一の場合よりも、デバイスのVceサチュレーション特性を良好にすることができる。
【符号の説明】
【００１３】
１、Al-Si電極
２、BPSG膜
３、NSG膜（絶縁膜）
４、ソース領域（N+）
５、ベース領域(P−)
６、ゲート酸化膜
７、ゲート電極
８、底部電極
９、ドリフト層（N−）
１０、フィールドストップ領域（N＋）
１１、コレクタ領域（P−）
１２、裏面電極
【図１】
2016025214.tif 000003
(57)【要約】      （修正有）【課題】バンジョー等の太鼓胴を持つ撥弦楽器、および小太鼓等打楽器の胴体内部に設ける加圧機構を提供する。【解決手段】バンジョー等の太鼓胴を持つ撥弦楽器、および小太鼓等打楽器胴体１内部に振動膜２に張力を加える振動膜加圧機構３，４，５，６を設けることにより大幅に金属部品数を減じ、外観のデザインの自由度を向上させる。【選択図】図１
2016061811.tif 000002
【特許請求の範囲】
【請求項１】
バンジョー等の太鼓胴を持つ撥弦楽器、および小太鼓等打楽器の胴の内側に装着した，加圧リングをねじ上げる機構により，バンジョー等の太鼓胴を持つ撥弦楽器、および小太鼓等打楽器の振動膜に張力を与える振動膜加圧機構。
【発明の詳細な説明】
【技術分野】
【０００１】
本発明は，バンジョー等の太鼓胴を持つ撥弦楽器、および小太鼓等打楽器の胴体内部に設ける加圧機構であり、下部からボルトをねじ上げる事で，振動膜に張力を与える加圧リングを振動膜に向かい押し上げ，演奏可能な張力を振動膜に加える加圧構造に関するものである。
【背景技術】
【０００２】
従来普及しているバンジョー等の太鼓胴を持つ撥弦楽器、および小太鼓等打楽器では，弦の音を拡大させるための振動膜を外部加圧リングにより，振動膜の枠部分を下に押し下げて，胴体により固定された振動膜に張力を加える方法が採用されており，この外部加圧リングを１０本から２４本の鈎付きねじで引き締める力を加えて振動膜に張力を加えるための機構は，金属部品を多用し，全体の重量を増加させ，演奏者に負担を与え演奏そのものを困難にする要因であった。また、一様に円筒胴体外部に締め付け金具を設置するために、その外観形状は画一的なものであった。
【発明の概要】
【発明が解決しようとする課題】
【０００３】
解決しようとする課題は，バンジョー等の太鼓胴を持つ撥弦楽器、および小太鼓等打楽器の内部の振動膜下部（裏側）に、加圧リングにより振動膜に張力を加える加圧機構を設け，金属部品を減らし，バンジョー等の太鼓胴を持つ撥弦楽器、および小太鼓等打楽器の重量を減じ，バンジョー等の太鼓胴を持つ撥弦楽器、および小太鼓等打楽器の演奏をより容易とすることを課題の１とする。また、一様に締め付け金具を円筒胴体外部に設置するために、その外観形状は画一的なものになり、デザイン性を向上させることが困難であった事を課題の２とする。
【課題を解決するための手段】
【０００４】
バンジョー等の太鼓胴を持つ撥弦楽器、および小太鼓等打楽器の胴体外部に振動膜締め付け金具を設置せずに、バンジョー等の太鼓胴を持つ撥弦楽器、および小太鼓等打楽器の胴体内部に設けた複数個のボルトを下部から上部に均等に押し上げることで，胴体に装着された振動膜枠固定板により固定された振動膜を、演奏に必要な張力を保持するまで加圧することを主要な手段とする。
【発明の効果】
【０００５】
本考案では，金属部品を多用するバンジョー等の太鼓胴を持つ撥弦楽器、および小太鼓等打楽器の金属部品を大幅に減ずる事が可能となり，より軽く保持しやすいバンジョー等の太鼓胴を持つ撥弦楽器、および小太鼓等打楽器を提供することを考案の効果の１とし、且つ外観デザインに自由度を与えることを効果の２とする。
【図面の簡単な説明】
【０００６】
【図１】バンジョー等の太鼓胴を持つ撥弦楽器、および小太鼓等打楽器振動膜加圧機構の断面図である。
【図２】バンジョー等の太鼓胴を持つ撥弦楽器、および小太鼓等打楽器振動膜加圧機構の内部構造斜視図である。
【発明の形態】
【０００７】
以下、本発明を実施するための形態について説明する。
振動膜（２）の下部に加圧リング（３）を設ける。
加圧リング（２）の下部に設けたボルト保持凸部（５）に複数個設置したボルト（６）により、ボルト保持凸部（５）からねじ上げ、加圧リング（２）を押し上げる。
加圧リング（２）により、振動膜固定リング（４）によって固定された振動膜（２）が加圧され、演奏可能な張力を、振動膜（２）に与える。
また、この振動膜加圧構造をバンジョー等の太鼓胴を持つ撥弦楽器、および小太鼓等打楽器胴体（１）の内部に設置することにより、外部構造のデザイン性に自由度を与える事を可能となり様々な外観を持つバンジョー等の太鼓胴を持つ撥弦楽器、および小太鼓等打楽器の製作を可能とする。
【符号の説明】
【０００８】
１  バンジョー等の太鼓胴を持つ撥弦楽器、および小太鼓等打楽器胴体                
２  振動膜         
３  加圧リング         
４  振動膜固定リング   
５  ボルト保持凸部           
６  ボルト
【図１】
2016061811.tif 000003
【図２】
2016061811.tif 000004
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
打楽器又は太鼓胴を持つ弦楽器であって、
胴、振動膜、振動膜固定リング及び振動膜加圧機構を有し、
前記振動膜固定リングは前記胴の上部に配置されたリング状の部材であって、その内    側の下部に切り欠きを有し、
前記振動膜は、端部を有し、該端部が前記胴の上端と前記振動膜固定リングの前記切り  欠きからなる凹所に受け入れられて固定されており、
前記振動膜加圧機構は前記胴の内側に配置された加圧リングおよびボルトからなり、    前記加圧リングが下方から前記ボルトによってねじ上げられる機構を有する
ことを特徴とする打楽器又は弦楽器。
(57)【要約】      （修正有）【課題】発射音が小さく，飛距離が従来よりも長く，片手で操作が可能であり，繰り返し使用することが可能なクラッカーを提供する。【解決手段】コイルばねの反発力によって帯状のテープや紙片を射出する機構を用い，縮んだコイルばねの内部に巻いたテープや紙片を設置してあることを特徴としたクラッカーである。ばね式テープ発射クラッカーは，火薬ではなくばねを利用するため，発射音が一般的なクラッカーよりも小さく煙が出ない。しかも，片手での操作が可能であって，ばねの中にテープを収納しておくため，直径２．５センチメートル，高さ５センチメートルの円筒形類似の形状にまで小型化が可能であり，成人男性が容易に片手で保持できる。さらに，ねじ式の蓋によってばねを収縮させるので，比較的容易にばねを収縮させることが可能である。ばねの反発力を利用しているために，繰り返し利用可能である。【選択図】なし【特許請求の範囲】
【請求項１】
コイルばねの反発力によって帯状のテープや紙片を射出する機構を用い，縮んだコイルばねの内部に巻いたテープや紙片を設置してあることを特徴としたクラッカー。
【発明の詳細な説明】
【技術分野】
【０００１】  本発明は，ばねを利用した片手で発射が可能な，小型のテープ発射型のクラッカーに関するものである。
【背景技術】
【０００２】  火薬を利用して紙製の太さ３ｍｍ程度の紙テープを発射するいわゆる火薬式クラッカーは，パーティーグッズなどのバラエティ用品として実用に供されている。
【発明の概要】
【発明が解決しようとする課題】
【０００３】  しかし，火薬式のクラッカーには以下の問題がある。
第一に，火薬式クラッカーは，パーティーグッズとしての利用は可能であるが，火薬式であるために発射時の破裂音が大きく，かつ，発射時に煙が発生するために，使用した瞬間が周囲に分かりやすいという欠点があった。この欠点のため，マジックショーのように静謐さが要素となる行為における利用可能性は小さいものである。
第二に，紙のみを火薬で発射するという構造上，紙テープの飛距離は３メートル程度に過ぎないので，３０メートル程度の遠距離にいる者からは認識可能性が小さかった。
第三に，火薬を圧縮して破裂させるという構造上，一般的には例えば糸を引っ張るなどの操作が必要であり，両手で操作する必要があった。
第四に，従来の火薬式クラッカーでは，繰り返し使用することができないから，ゴミが多くなるという問題もあった。
そこでこの発明では，発射音が小さく，飛距離が従来よりも長く，片手で操作が可能であり，繰り返し使用することが可能なクラッカーを提供することを課題とする。
【課題を解決するための手段】
【０００４】  本発明は，上記課題を解決するために，コイルばねの反発力によって帯状のテープや紙片を射出する機構を用い，縮んだコイルばねの内部に巻いたテープや紙片を設置してあることを特徴としたクラッカーである。
【発明の効果】
【０００５】  本発明のばね式テープ発射クラッカーは，火薬ではなくばねを利用するため，発射音が一般的なクラッカーよりも小さく煙が出ない。しかも，片手での操作が可能であって，ばねの中にテープを収納しておくため，直径２．５センチメートル，高さ５センチメートルの円筒形類似の形状にまで小型化が可能であり，成人男性が容易に片手で保持できる。さらに，ねじ式の蓋によってばねを収縮させるので，比較的容易にばねを収縮させることが可能である。ばねの反発力を利用しているために，繰り返し利用可能である。
【発明を実施するための形態】
【０００６】  本発明の実施例は以下の部品からなる。キャップ（内側が射出機本体のばね挿入口のねじに合致するようになっている。），射出機本体，摩擦低減部品，コイルばね，テープ，タコ糸，金属片である。射出機本体には注腹部に長さ１センチメートル，厚さ１ミリメートルのクリアランスを設ける。また，射出機本体のうち，ばねを入れる側をばね挿入口，ばねが発射される側をばね射出口と呼ぶ。ばね挿入口はねじになっている。
第一に，コイルばねとテープをタコ糸で先端同士を接合させる。タコ糸は，３センチメートル程度の長さとしておく。
第二に，テープを，タコ糸接合部を中心軸とするように巻き，摩擦低減部品の中に入れる。その後，メタルテープ５及びそれを包む摩擦低減部品をコイルばねの内側に設置する。
第三に，金属片を射出機にあるクリアランスに挟み，その後射出機のばね挿入口から，一体となっているコイルばね，摩擦低減部品，メタルテープ，タコ糸を押し込む。ここで，コイルばねを押し込む際に，キャップの内側にコイルばねを押し付けるようにしながら押し込み，そのままキャップと射出機本体のねじ部分とを接合させる。
第四に，片手で金属片を外すことにより，コイルばねが発射され，それに伴って摩擦低減部品内部のテープが射出される。
なお，ばねを設置する際に紙片を同時に設置することにより，この紙片も同時に射出される。
(57)【要約】【課題】ボタンダウンシャツでないワイシャツは、ネクタイを着用しない時のど元の襟ボタンを留めないと襟元が開きすぎる欠点があった。【解決手段】ワイシャツの襟裏側と対面のワイシャツ本体部に面ファスナーを設けこれで留めることにより、ボタンダウンシャツと同じ機能を持たせ、ネクタイを着用しない時のワイシャツの襟元を開きにくくする。【選択図】図１
2016061007.tif 000002
【特許請求の範囲】
【請求項１】
ボタンダウンシャツ機能をもたせたワイシャツ
【発明の詳細な説明】
【技術分野】
【０００１】この発明は、ワイシャツの形状に関する。
【背景技術】
【０００２】従来のボタンダウンシャツでないワイシャツはネクタイを着用しないと襟元部が開きすぎるのが一般的である。これをなくすために、襟ボタンと第一ボタンとの間に面ファスナーを設けたり、第一ボタンをボタンホックまたはマジックファスナーにしたり、ボタン間の間隔を調整するものが考案されている。
【先行技術文献】
【０００３】
【特許文献】
【特許文献】特開２００７−９３８６（Ｐ２００７−９３８６Ａ）
【非特許文献】
【０００４】
【非特許文献１】インターネット  ウィキペディアフリー百科事典ワイシャツ
【発明の概要】
【発明が解決しようとする課題】
【０００５】しかしながら、これらのワイシャツは、襟元が開いたとき面ファスナーの一部が露出して見苦しくなったりボタン間の間隔を単純ではなく複雑微妙に調整しなければならない等問題があった。
【課題を解決するための手段】
【０００６】以上の課題を解決するために、本発明はワイシャツの襟裏側と対面のワイシャツ本体部に面ファスナーの鉤面と受け面を設け面ファスナーで留めることによりボタンダウンシャツと同じ機能を設けネクタイを着用しない時のワイシャツの襟元を開きにくくすることを特徴とする。
【発明の効果】
【０００７】本発明によれば、ワイシャツの襟裏側と対面のワイシャツ本体部に設けた面ファスナーで左右の襟元を留めることにより、ネクタイを着用しない時のど元の襟ボタンを留めなくともワイシャツの襟元が開きすぎることを防ぐことができる。
【図面の簡単な説明】
【０００８】
【図１】この発明の一実施形態を示す斜視図である。
【発明を実施するための形態】
【０００９】この発明の一実施形態を、図１に示す。
ワイシャツの襟裏側と対面のワイシャツ本体部に面ファスナーを設ける。
【０００１０】「実施形態の効果」
この実施形態によれば、ワイシャツでネクタイを着用しないときは、襟元が開きすぎないよう、面ファスナーで襟を留めることができ、ボタンダウンシャツと同じ機能を設けることができる。
【０００１１】「他の実施形態」
【００１２】図１の実施形態では面ファスナーは襟裏側と対面のワイシャツ本体部に面ファスナーを設けているがワイシャツ本体の布地の材質がパイル織物製であれば、襟裏側のみに面ファスナーの鉤面を設ければ対面のワイシャツ本体部に面ファスナーの受け面を設けなくても、本体のパイル織物自体が面ファスナーの鉤面を受けるので面ファスナーの受け面を設けなくてもよい。
【００１３】図１の実施形態では面ファスナーは襟裏側と対面のワイシャツ本体部に面ファスナーを設けているが襟裏側の布地の材質がパイル織物製であれば、ワイシャツ本体部のみに面ファスナーの鉤面を設ければ対面の襟裏側に面ファスナーの受け面を設けなくても、襟裏側のパイル織物自体が面ファスナーの鉤面を受けるので面ファスナーの受け面を設けなくてもよい。
【００１４】図１の実施形態では、襟裏側と対面のワイシャツ本体部に設ける面ファスナーはいずれも円形で同寸のものを設けているが、円形でないデザインでもよく同寸でなくてもよい。
【００１５】襟裏側と対面のワイシャツ本体部に設ける面ファスナーは色にこだわらず同色でなくてもよい。
【００１６】襟裏側と対面のワイシャツ本体部に設ける面ファスナーはどちらを鉤面、受け面にしてもよく鉤面と受け面の組み合わせであればよい。
【００１７】襟裏側と対面のワイシャツ本体部に設ける面ファスナーの取り付けは縫合しても接着してもよい。
【符号の説明】
【００１８】１  襟裏側面ファスナー  ２  ワイシャツ本体部面ファスナー
３  襟ボタン  ４  第１ボタン  ５  第２ボタン  ６  襟
７  ワイシャツ本体
【図１】
2016061007.tif 000003
(57)【要約】      （修正有）【課題】今までのコンピュ−タ−言語と、これから開発されるであろうコンピュ−タ−言語について、中間コ−ドと機械語ランタイムル−チンの呼び出し方の統一規格を提供する。【解決手段】コンピュ−タ−の高級言語を中間コ−ド化し、この中間コ−ドをＣＰＵのマイクロ・プログラムで直接、ハ−ドウェア的にＣＰＵに解読させて機械語のランタイムル−チンを呼び出せば、高級言語で書かれたプログラムの動作速度が桁違いに速くなる。その為、ＣＩＳＣの方が−度にいろいろな制御が出来て、しかも、プログラムの記述量的にも有利である。コンピュ−タ−の高級言語を規格統一して中間コ−ド化し、ＣＰＵにはＣＩＳＣを使い、ＣＰＵの中のマイクロ・プログラムにこれらの中間コ−ドをハ−ドウェア的に解読出来る様に改良・拡張し、機械語のランタイムル−チンの呼び出し方も規格統一して、更に、これからのコンピュ−タ−言語にも対応出来るようにする。【選択図】なし【特許請求の範囲】
【請求項１】
コンピュ−タ−のＣＰＵの高速化法
【発明の詳細な説明】
【技術分野】
【０００１】  この発明はデジタル回路に関する。
【発明の概要】
【０００２】  この発明は、コンピュ−タ−で高級言語を機械語と同じ速さで走らせる為に、高級言語を中間コ−ド化してハ−ドウェアで解読し、ランタイム・ル−チンを呼んで、ランタイム・ル−チン自体が機械語なので、高級言語が機械語と同じ速さで走り、また、高級言語を使うので、アルゴリズム的にも楽である。しかも、ランタイム・ル−チンを常に改良すれば、常に高速でプログラムを走らせる事が出来る。
【背景技術】
【０００３】  今までのコンピュ−タ−は高級言語に於いて、コンパイラでは機械語レベルまで落として記述して、機械語でＣＰＵを動作させ、インタ−プリタ−では中間コ−ドをソフトウェア（プログラム）で解読して、その処理に合った機械語ル−チンを呼び出して、処理が終わる毎に元のプログラムの位置の次の中間コ−ドを解読して、また、その処理に合った機械語ル−チンを呼び出し、の繰り返しである。
ＣＰＵは機械語（オペコ−ド、オペランド、デ−タ）をフェッチして、デコ−ドし、コントロ−ルバスでＡＬＵ、内部バス、外部アドレスバス、外部デ−タバス、外部コントロ−ルバスを制御して外部メモリとのデ−タの入出力、内部レジスタ−とＡＬＵとのデ−タのやり取り、ＡＬＵの演算やフラグレジスタ−のセット／リセット、Ｉ／Ｏとのデ−タの入出力をプログラムカウンタ−に従って繰り返し行っている。
【発明の開示】
【発明が解決しようとする課題】
【０００４】  コンピュ−タ−の高級言語を中間コ−ド化し、この中間コ−ドをＣＰＵのマイクロ・プログラムで直接、ハ−ドウェア的にＣＰＵに解読させて機械語のランタイムル−チンを呼び出せば、高級言語で書かれたプログラムの動作速度が桁違いに速くなる。また、高級言語を使うので、アルゴリズム的にも楽である。しかも、ランタイム・ル−チンを常に改良すれば、常に高速でプログラムを走らせる事が出来る。その為、ハ−ドウェア的にＣＰＵはＣＩＳＣの方が一度にいろいろな制御が出来て、しかも、プログラムの記述量的にも有利である。
今までのコンピュ−タ−言語（高級、低級を問わず）と、これから開発されるであろうコンピュ−タ−言語についても中間コ−ドと機械語ランタイムル−チンの呼び出し方の規格を統一すれば、拡張性に於いても有利である。
【課題を解決するための手段】
【０００５】  この為、この発明においては、コンピュ−タ−の高級言語を規格統一して中間コ−ド化し、ＣＰＵにはＣＩＳＣを使い、ＣＰＵの中のマイクロ・プログラムにこれらの中間コ−ドをハ−ドウェア的に解読出来る様に改良・拡張し、機械語のランタイムル−チンの呼び出し方も規格統一して、更に、これからのコンピュ−タ−言語にも対応出来るようにする。ランタイム・ル−チン自体が機械語なので、高級言語が機械語と同じ速さで走り、また、高級言語を使うので、アルゴリズム的にも楽である。しかも、ランタイム・ル−チンを常に改良すれば、常に高速でプログラムを走らせる事が出来る。しかも、プログラムの記述量的にも有利である。また、規格統一しておけば、拡張性に於いても有利である。
【発明の効果】
【０００６】  この発明は、スカラ−・コンピュ−タ−からベクトル・コンピュ−タ−、アレイ・コンピュ−タ−にまで応用できて、しかも、高級言語でコンピュ−タ−・プログラムを記述する事が出来るので、動作速度的にもアルゴリズム的にもコンピュ−タ−を飛躍的に使い易い物にする。
(57)【要約】      （修正有）【課題】パソコンの原稿がパソコンの画面のすぐ横にありパソコンの画面と原稿を視やすい様にした、原稿の置き場所を提供する。【解決手段】デスク型やノート型のパソコンの裏側の、棒の入った容器イから棒ロを横に引き出して、原稿をピン等で止めて、原稿がパソコンと同じ高さであり又すぐ横にある様にして、パソコンの作業に当たり原稿を視やすい様にした。【選択図】図３
2016103253.tif 000002
【特許請求の範囲】
【請求項１】
パソコンを使用する時に付随する原稿の置く場所
【発明の詳細な説明】
【技術分野】
【０００１】本発明はパソコンに関する物である
【発明の開示】
【０００２】パソコンの横に原稿を取り付けられる様にするものである
【発明が解決しょうとする課題】
【０００３】パソコンの原稿がパソコンの画面のすぐ横にありパソコンの画面と原稿を視やすい様にする
【課題を解決するための手段】
【０００４】原稿をパソコン画面の横に置くためにパソコンの横に棒状な物を取り付けて原稿をピン等で止めて原稿がパソコンと同じ高さであり又すぐ横にある様にしてパソコンの作業に当たり原稿を視やすい様にした
【発明の効果】
【０００５】パソコンを使用するに時に原稿を視ながら良く使用するが、先ず原稿の置き場所にも困るものである、また原稿を平面に置くと縦面のパソコンを見たり横に置いてある平面の原稿を視たりして大変に視にくく疲れるものであるがこの発明ではパソコンの画面のすぐ横に原稿があるので目を左右に動かすだけで楽に原稿が見やすく疲れないと思われる
【発明を実施するための最良の形態】
【０００６】以下本発明の実施の形態を図１〜図６の姿図に基づいて説明する【０００７】姿図１はデスク型のパソコンである
姿図２はノート型のパソコンである
◎以下はデスク型もノート型も同じであるのでデスク型にて説明をする
姿図３はデスク型パソコンの裏側の棒の入った容器から棒を横に引き出したものである
姿図４はデスク型パソコンの裏側に棒を回転する様に固定してパソコンの横に半回転して      パソコンの横に棒が出るようにしたものである
姿図５はデスク型パソコンの横にパソコンの裏側より引き出した棒に原稿を取り付けたも      のである
姿図６はデスク型パソコンの横に出た棒を斜め前に出す様にして原稿を取り付け原稿を依      りよく視やすくしたものである
【図面の簡単な説明】
【０００８】
【図１】はデスク型パソコン
【図２】はノート型パソコン
【図３】のイはパソコンの裏側で横に引き出す棒を収納する容器である  図３のロは容器から原稿を下げる為の棒を横に引き出したものである
【図４】のハはパソコンの裏に棒が動けるように取り付けたものである  図４のニはその棒が回転出来る様に取り付けたものである  図４のホはハから回転してきた原稿を取り付ける棒であり横に固定して原稿を下げる様にしたものである
【図５】はパソコンのすぐ横の原稿を視ながらパソコンの作業取ができる姿図である
【図６】はできればパソコンの横に出た棒を斜め前に曲げる様にして原稿が一層視やすくなるようにした姿図である
【図１】
2016103253.tif 000003
【図２】
2016103253.tif 000004
【図３】
2016103253.tif 000005
【図４】
2016103253.tif 000006
【図５】
2016103253.tif 000007
【図６】
2016103253.tif 000008
(57)【要約】【課題】  簡易な方法でいつでもどこでも容易にそば湯を作ることができ、一日に必要なルチンが摂取でき、湯又は水に溶かすことで、そば湯として飲むことができるそば湯の素及びそれを用いたそば湯飲料を提供する。【解決手段】  そば粉５０ｇに対しルチンの粉末５０ｍｇ〜５０００ｍｇ、好ましくは３００ｍｇを混合したそば湯の素及び１６０ｍｌの湯又は水に、そば粉５０ｇに対しルチンの粉末３００ｍｇを混合したそば湯の素を５ｇ溶かしたことを特徴とするそば湯飲料。【選択図】なし【特許請求の範囲】
【請求項１】
そば粉５０ｇに対しルチンの粉末５０ｍｇ〜５０００ｍｇを混合したそば湯の素。
【請求項２】
そば粉５０ｇに対しルチンの粉末３００ｍｇを混合したそば湯の素。
【請求項３】
１２０ｍｌ〜１６０ｍｌの湯又は水に、そば粉５０ｇに対しルチンの粉末３００ｍｇを混合したそば湯の素を５ｇ溶かしたことを特徴とするそば湯飲料。
【発明の詳細な説明】
【技術分野】
【０００１】
本発明は、湯又は水に溶かすことで一日に必要なルチンが摂取できるそば湯の素及びそれを用いたそば湯飲料に関するものである。
【背景技術】
【０００２】
古くからわが国で広く食されている「そば」には、ビタミンやルチン等の有益な成分が多く含まれているため、最近では栄養の面からも注目されている。その中のルチンは毛細血管を強くして高血圧に予防効果があり健康維持のために有効な物質といわれている。
一方、そばを茹でるときの茹で湯をそば湯というが、このなかには水溶性であるビタミンやルチンが溶け出していて、打ち粉として使ったそば粉（一番粉）の多くがそば湯の中に溶けだしている。またそば麺自体からもビタミンやルチンがそば湯に溶けだしているのである。
このそば湯の保存安定化を高め、風味の良いそば湯とその製造方法が特許文献１に提案されている。
【先行技術文献】
【特許文献】
【０００３】
【特許文献１】特開２００８−１７８４０４号公報
【０００４】
特許文献１の発明は、そば粉を主原料としてそば湯を製造する方法であって、水に懸濁したそば粉を加熱する前及び／又は加熱した後に澱粉加水分解酵素を含む酵素剤を加えて澱粉を低分子化する加熱酵素処理工程と、該加熱酵素処理工程からの酵素処理液から高い透明性を有するそば湯を得る固液分離工程とを有するものである。
【発明の概要】
【発明が解決しようとする課題】
【０００５】
前記特許文献１記載の発明では、「そば」に含まれる水溶性の有用物質とそば澱粉の酵素分解物であるオリゴ糖を含み、適当な保存容器、例えば、缶、ペットボトル、ガラス容器、プラスチック容器、紙容器等に保存することができる。本発明のそば湯製品は、必要に応じて適温に加温して、何時、何処でも、簡単に飲むことのできる飲料となるという効果があるが、製造工程が複雑であり高度な技術を用いるため簡単に製造できない等の問題点があった。
【０００６】
ルチンの必要量は、１日当たり２５〜５０ｍｇと言われている。目安として、普通のそば１杯分に含まれる分と、その時のそば湯に溶け出した分も摂れば足りるといわれるが、毎日そばを１枚食べそば湯も摂るのは困難なことである。
そこで、本発明者は適当量のそば粉に１日に必要と言われるルチンを配合して、毎日美味しく手軽にスープのように栄養を摂取出来ることを目的に創作したのである。
【０００７】
本発明は、簡易な方法でいつでもどこでも容易にそば湯を作ることができ、一日に必要なルチンが摂取でき、湯又は水に溶かすことで、そば湯として飲むことができるそば湯の素及びそれを用いたそば湯飲料を提供することを目的とする。
【課題を解決するための手段】
【０００８】
請求項１に記載の発明は、そば粉５０ｇに対しルチンの粉末５０ｍｇ〜５０００ｍｇを混合したそば湯の素である。
【０００９】
請求項２に記載の発明は、そば粉５０ｇに対しルチンの粉末３００ｍｇを混合したそば湯の素である。
【００１０】
請求項３に記載の発明は、１２０ｍｌ〜１６０ｍｌの湯又は水に、そば粉５０ｇに対しルチンの粉末３００ｍｇを混合したそば湯の素を５ｇ溶かしたことを特徴とするそば湯飲料である。
【発明の効果】
【００１１】
前記請求項に記載のそば湯の素又はそば湯飲料によれば、簡易な方法でいつでもどこでも容易にそば湯飲料を作ることができ、かつ一日に必要とされるルチンを容易に摂取することできる等の効果を奏する。
【発明を実施するための形態】
【００１２】
本発明の実施形態１のそば湯の素を説明する。
まず、製造方法を説明すると、そば粉５０ｇに対しルチンの粉末３００ｍｇを加えてそば湯の素を製造し、携帯に便利な袋又はケース等の容器に入れて保存する。
使用に際しては、前記そば湯の素５gを約１６０ｍｌの湯または水に対して溶かしてそば湯飲料を作り飲めばよい。これによって一日に必要なルチン約３０ｍｇが摂取できるのである。
【００１３】
上記のように構成したそば湯の素によれば、製造が簡易で、保存安定性に優れ携帯も便利であり、使用に際しては適量の湯又は水に粉末を溶かすという簡易な方法で、いつでもどこでも容易にそば湯飲料を作ることができ、同時に一日に必要なルチンが摂取できるのである。
【００１４】
ルチンの粉末の分量は前記実施形態に限定されず、そば粉５０ｇに対しルチンの粉末を５０ｍｇ〜５０００ｍｇの範囲で加えることができる。
【００１５】
さらに、前記実施形態のそば湯の素に、だしなどを含む調味料、粉末醤油、澱粉や糊化澱粉、乾燥薬味等を添加しても良く、またコリンやコラーゲン、ビタミンＣ等を添加することもできる。これによってそれぞれの添加物の栄養効果等が加味されることになる。
(57)【要約】【課題】タッチペン使用時のファッション性の向上やネイルアートを楽しめ、アクセサリーとしても活用できる新しい分野のタッチペンを提供する。【解決手段】本発明は、タッチペンとアートパーツを組み合わせることを特長にすることによって、タッチペン使用時の誤操作を軽減しながらファッション性や独自性を表現できる。また、ネイルアートなどを楽しめる機会をつくり、新しいライフスタイルを提供できる、タッチパネル用タッチペンである。【選択図】図１
2016103123.tif 000002
【特許請求の範囲】
【請求項１】
タッチペンであって、単体または複数の部材を接合して形成されたタッチペン本体にアート用パーツを固着できるまたは、固着してあることを特徴としたタッチペン。
【請求項２】
タッチペンであって、本体が身体の一部または全体の形に形成されることを特徴とする請求項１に記載のタッチペン。
【請求項３】
タッチペンであって、本体が人の指の形に形成されていることを特徴とした請求項１に記載のタッチペン。
【請求項４】
タッチペンであって、本体の一部または全部が導電性材で構成されることを特徴とする請求項１から請求項３のいずれかに記載のタッチペン。
【発明の詳細な説明】
【技術分野】
【０００１】
本発明は、タッチパネル操作用のタッチペンと装飾パーツとに関する。
【背景技術】
【０００２】
タッチペンは、静電容式や圧力式のタッチパネルを操作する際使用し、アクセサリーとしても使用されている。
【０００３】
一方、ファション性や独自性など、自己表現する手段の一つにアートがあるが、タッチペンとアートが結びつくことは困難である。
【０００４】
また、電池を使ったタッチペンで、タッチ部だけが人の指形になっており、その上部に具備されている爪形部にネイルアートが出来る（特許文献１）。
【０００５】
そのほか、自身の付け爪に、タッチパネル操作補助具を付けてタッチパネルを操作できる。（特許文献２）。
【先行技術文献】
【特許文献】
【０００６】
【特許文献１】ＫＲ１０−１１４９００５Ｂ１（韓国特許文献）
【特許文献２】特開２０１３−１６４８２６号公報
【発明の概要】
【発明が解決しようとする課題】
【０００７】
しかし、タッチ部である人の指形の爪形部ではネイルアートに制約が出来てしまう。実際の人でも起こっているが、仮にネイルアート用のパーツを付けられたとしても、長いパーツだった場合、実際のタッチ部とパーツ先端（タッチペン先端）との視角に誤差が大きく生じるため、パーツが邪魔になり、タッチパネル操作時の誤操作に繋がる。また、圧力式タッチパネル操作時では、パーツへの負担が多くなるので、劣化が早まる。
【０００８】
そのため、アートを十分楽しめることが出来ず、タッチペンとのファッション性が合わないので、使用するのを躊躇していた。
【０００９】
また、付け爪を施してない人は使用できないが、自身の付け爪にタッチパネル操作補助具を付ける仕様では、タッチ部と自身の指先腹部が同時にパネルに触れ易くなり誤操作が起き易い。
【００１０】
そのほか、ネイルアート等を規制されている人の場合ネイルアートを楽しむことができない。
【課題を解決するための手段】
【００１１】
本発明は、タッチペンとアートを施せるまたは、施してある部品（以下、アートパーツという）を組み合わせることによって、タッチペンのファッション性の向上や独自性を表現できる、新しい分野のタッチペンである。
【発明の効果】
【００１２】
本発明によれば、タッチペンと自製や既製または依頼のアートパーツを組み合わせ、タッチパネル操作時のタッチペンによる誤操作を軽減しながらファッション性が向上するほか、アクセサリーとしても活用できる。
【００１３】
また、専門店（例えばネイルサロン）などにもアートを依頼する事が出来るため、専門店の活性化に繋がるほか、ネイルアートを規制されている人でも気軽にネイルアートを楽しむことができ、新しいライフスタイルを提供する。
【図面の簡単な説明】
【００１４】
【図１】本発明の実施例によるタッチペンを概略的に示す図である。（実施例１）
【発明を実施するための形態】
【００１５】
図１（a）は、一部または全部を導電性材で指形に形成されたタッチペン本体１と爪形のアートパーツ2を固着した様子（以下、アートタッチペンという。）を示す上面図である。
図１（b）は、指形タッチペン本体１とアートパーツ２の固着前の側面斜視図である、図１（c）は、図１（a）アートタッチペンの側面斜視図である。
【実施例１】
【００１６】
図１（b）、（c）で示すように、タッチペン本体１が人の指形に形成されており、アートパーツ２の先端下部にタッチ部３が位置することでタッチ部とペン先との視角の誤差が小さくなり誤操作がおき難くなるほか、タッチペン本体指先からタッチ部３まで伸びた部位とアートパーツ２が互いに補強し合うので強度が増す。
【００１７】
また、図１（a）で示すように上から見た場合タッチ部３が見えないのでファッション性を損なわず多様なネイルアートができるため、自身へのネイルアートを規制されていてもタッチペンやアクセサリーとしてネイルアートを楽しむことができる。また、アクセサリー機能やフォルダー機能を具備しても良い。
【００１８】
さらに、タッチパネル操作の際タッチ部３とタッチペン本体の指先腹部１０が同時にタッチパネルに接触し誤操作するのを防ぐため、指先腹部１０の部材を非導電材にしても良いし、非導電性のシールや塗料で被せても良い。また、指先腹部１０がタッチペネルに接触しないよう形成することもできる。
【００１９】
タッチペン本体やアートタッチペンは、複数の部材を接合しても良く、単体であっても良い。また、アートパーツを、容易に取り外し出来るようにしても良い。
【００２０】
図１タッチペンは手の指を形成した物だがこれに限るものではなく、手全体や足の指など身体の一部または全部を形成した物でも良いし、アートパーツが複数でもよく、爪型でなくても良い。
【００２１】
例えば、タッチペン本体を肘から指先までの全体を縮小形成し、ブレスレットや指輪に形成したアートパーツを使うこともできる。
【００２２】
また、タッチペン本体は、一部または全部を導電性材や導電性塗料を塗布して形成されているが、圧力式タッチパネル用やアクセサリーに特化した場合、非導電性材で一部または全部を形成できる。
【００２３】
以上、本発明の実施の形態を説明したが、本発明の技術的範囲は、前述した実施の形態に左右されない。当業者であれば記載された技術的思想の範疇内において、各種の変更例または修正例に想到しうることは明らかであり、それらについても当然に本発明の技術的範囲に属するものと了承される。
【００２４】
例えば、タッチペンをボールペン等の筆記用具に置き換えても良い。
【産業上の利用可能性】
【００２５】
今までタッチペンを使用してなかった人が使うようになり、ネイルアートを楽しめなかった人がそれを楽しめるので、タッチペンとアート業界、お互いの産業に相乗効果が得られる。
【符号の説明】
【００２６】
１    タッチペン本体
２    アート用パーツ
３    タッチ部
１０    指先腹部
【図１】
2016103123.tif 000003
(57)【要約】【課題】洋式便器で男性が小便をする際に勃起していても使いやすい様に洋式便器の端に小便器を設けた小便器付き洋式便器を提供する【解決手段】洋式便器（１）の端に小便器（２）を設けた小便器付き洋式便器を特徴とする【選択図】図１
2016176316.tif 000002
【特許請求の範囲】
【請求項１】
洋式便器（１）の端に小便器（２）を設けた小便器付き洋式便器
【発明の詳細な説明】
【技術分野】
【０００１】この発明は洋式便器の端に小便器を設けた小便器付き洋式便器に関するものである
【背景技術】
【０００２】従来、洋式便器と小便器は別々になっていた
【発明の概要】
【発明が解決しようという課題】
【０００３】これは、次のような欠点があった。
１  従来、男性が小便をする際に、洋式便器では男性器と距離があるため不便であった
特に早朝などの勃起時は下方にある洋式便器への排尿は困難であった
２  小便器を洋式とは別に設置すると場所をとるのでホテルや家庭での設置は難しかった
３  小便器は女性には必要ないので小便器の存在は女性に違和感を与えた
本発明は以上の様な欠点をなくすためになされたものである。
【課題を解決するための手段】
【０００４】洋式便器（１）の一端に小便器（２）を取り付けた構造になっている
本発明は以上の構成よりなる小便器付き洋式便器である
【発明の効果】
【０００５】（イ）  男性は勃起時でも小便をしやすい
（ロ）  小便器の場所を必要としない
（ハ）  小便器は正面に背を向ける形なので女性の小便器への違和感を軽減する
（二）  男性も女性も一つの便器で小便できる
【図面の簡単な説明】
【０００６】
【図１】  本発明の平面図である
【図２】  本発明の小便器側の側面図である
【図３】  本発明を正面図である
【図４】  本発明を背面図である
【図５】  本発明の小便器を除いた平面図である
【図６】  本発明の左右対称の型式の図である
【図７】  本発明に便座と水洗タンクを取り付けた参考平面図である
【発明を実施するための形態】
【０００７】以下、本発明を実施するための形態を説明する
洋式便器本体（１）に小便器（２）を取り付ける
必要に応じて便座（４）と水洗用貯水タンク（７）等を設置する
これを使用するときは、女性はそのまま使用し、小便時の男性は小便器側を立ったままで使用する
【符号の説明】
【０００８】１  洋式便器部分
２  小便器部分
４  便座
７  水洗用貯水タンク
【図１】
2016176316.tif 000003
【図２】
2016176316.tif 000004
【図３】
2016176316.tif 000005
【図４】
2016176316.tif 000006
【図５】
2016176316.tif 000007
【図６】
2016176316.tif 000008
【図７】
2016176316.tif 000009
(57)【要約】【課題】  家庭用の窓用エアコン装置には、冷暖房等のエアコン装置としての機能に加えて、窓の戸の開閉や施錠、風雨をしのぐ、他の、窓としての機能が求められる。  しかし、室内機機能と共に室外機機能が室内に在る既成の窓用エアコン装置の場合、室外機機能の音が室内で発生する、形状が大きい、等に加えて、室外機機能の発生する熱気を室外に放出するために、使用時には窓の戸を開けねばならないと言う不具合が在る。【解決手段】  前述の課題を解決するために本発明は、既成の窓用エアコン装置の機能を分割し、図２の如く、室外機の機能部分４を窓の戸１の外側に取り付け、室内機の機能部分３を窓の戸１の内側に取り付けて両機を接続し、窓の戸１と室外機４室内機３を一体化した。これによって、雨天でも窓の戸を閉めて使用出来る、窓の戸の開閉に伴って移動も施錠も出来る家庭用の窓用エアコン装置となった。【選択図】図２
2016176685.tif 000002
【特許請求の範囲】
【請求項１】
室外機の機能を窓の戸の外側に取り付け、室内機の機能を窓の戸の内側に取り付けた、窓の戸と室外機、室内機が一体となった家庭用の窓用エアコン装置。
【請求項２】
室外機の機能を窓の戸の外側に取り付け、室内機の機能を窓の戸の内側に取り付けた、窓の戸と室外機、室内機が一体となった、窓の戸の開閉に伴って窓の戸と一緒に移動できる家庭用の窓用エアコン装置。
【発明の詳細な説明】
【技術分野】
【０００１】  本発明は、室外機の機能を窓の戸の外側に取り付け、室内機の機能を窓の戸の内側に取り付ける事によって、窓の戸と室外機、室内機が一体となった、窓の戸と一緒に移動出来る家庭用の窓用エアコン装置に関する。
【背景技術】
【０００２】  家庭用の窓用エアコン装置には、窓枠の室内側に専用の取り付け枠を設置して、室内機と室外機の機能が一体となった窓用エアコン装置を取り付ける形態の、既成の窓用エアコン装置（既に市販されている）や、【０００３】  窓枠の内側の端部に仮壁等を取り付け、仮壁等に設けた開口を使って窓の内外に在る室内機と室外機の配管を行なう、言わば仮壁型の窓用エアコン装置（特許文献１、特許文献２、特許文献３、特許文献４）が在る。【０００４】  又、窓の戸の利用例としては、既成のセパレートタイプのエアコン装置（既に市販されている）の配管を室外機から外壁に添わせて行ない、窓の戸の換気小窓を通して室内機に接続する形態も在る。
【先行技術文献】
【０００５】
【特許文献１】  特許公開平９−１４５１５０
【特許文献２】  特許公開平９−２５７２７８
【特許文献３】  特許公開２００６−７１２５９
【特許文献４】  登録実用新案第３１４７２２３号
【発明の開示】
【発明が解決しようとする課題】
【０００６】  一般に窓用のエアコン装置には、冷暖房等のエアコン装置としての機能に加えて、窓の戸の開閉や施錠、風雨をしのぐ、他の、窓としての機能を損なわない構造が求められる。【０００７】  しかし、既成の窓用エアコン装置の場合、室内機機能と共に室外機機能が室内に在るため、室外機機能の音が室内で発生する、形状が大きい、等に加えて、室外機機能の発生する熱気を室外に放出するために使用時には窓の戸を開けねばならないという、例えば、窓に軒が無い場合、雨が降ると窓の戸を閉めるので使用出来ない、という不具合が在る。【０００８】  又、仮壁型の窓用エアコン装置には、窓の戸を本来の位置まで閉めることが出来ない、等の不具合が在る。【０００９】  又、既成のセパレートタイプのエアコン装置を窓の戸の換気小窓を通して配管する形態には、配管で窓の戸が固定されて戸を開く事が出来ない。室外機の設置場所によっては配管が長くなり熱損失が大きくなる、配管が建て屋の外観を損なう、等の不具合が在る。【００１０】  本発明は、これらの窓用エアコン装置の不具合を解消して、窓の戸を閉めて使用する、窓の機能を損なわない、窓用エアコン装置の提供を目的とする。
【課題を解決するための手段】
【００１１】  前述の課題を解決するために本発明は、既成の窓用エアコン装置の機能を分割し、図２の如く、室外機の機能部分４を窓の戸１の外側に取り付け、室内機の機能部分３を窓の戸１の内側に取り付けて両機を接続し、窓の戸１と室外機４室内機３を一体化した。
【発明の効果】
【００１２】  室外機の機能が室内に在る事を原因とする不具合から解放された。即ち、雨天でも使用出来る窓の戸を閉めて使用する窓用エアコン装置となった。又、室外機機能の運転音も室外に移動し、形状の小型化も図られた。【００１３】  又、他に室外機、室内機の設置場所を必要としない上、窓の戸の開閉時には、窓の戸と一体となって移動し施錠も出来る、窓の機能を損なわない窓用エアコン装置となった。
【発明を実施するための最良の形態】
【００１４】  以下、本発明の実施の形態を図１〜図３において説明する。
【図面の簡単な説明】
【００１５】
【図１】  本発明の窓用エアコン装置の組立図。
【図２】  本発明の窓用エアコン装置の側面図。
【図３】  本発明の窓用エアコン装置を室内から見た正面図。
【符号の説明】
【００１６】        １    窓の室内側の戸。
２    窓の室内側の戸の換気小窓。
３    本発明の窓用エアコン装置の室内機部分。
４    本発明の窓用エアコン装置の室外機部分。
５    本発明の窓用エアコン装置の室外機部分の接続部。
６    取り付けネジ用の丸穴。
７    取り付けネジ用のネジ穴。
【発明を実施するための形態】
【実施例】
【００１７】  図１、図２、図３は、換気小窓の在る窓の戸を対象とした実施例です。
先ず、窓の戸１の枠部に取り付けネジ用の丸穴６を開けます。次いで、室外側から窓の戸１の換気小窓２に室外機部分４の接続部５をはめて窓の戸に添わせ、室内側からネジで止めます。最後に、室内側から窓の戸１を挟んで室内機部分３をはめ、室内側からネジで止めて配管を繋ぎ電線も繋ぎます。これで本発明の、窓の戸１と室外機部分４と室内機部分３が一体化した、窓の戸１を閉めて使用する、窓の戸１の開閉に伴って移動も施錠も出来る窓用エアコン装置が実現します。
【図１】
2016176685.tif 000003
【図２】
2016176685.tif 000004
【図３】
2016176685.tif 000005